(57)【要約】【課題】農薬に依存することなく、安全性が高くしかも容易に確実な駆除効果が期待でき、かつ低コストで実施可能とする害虫駆除技術を提供する。【解決手段】蝋で体を被覆し果樹等に密着寄生するカイガラムシ６をその樹皮表面から掻き剥がし駆除を可能とするために、回動することでカイガラムシ６を掻き剥がすことのできるように機能構成された掻き剥がし部１を、シャフト３の延長線上であるようにその先端部に取り付け、シャフト３の回動の際、所定機能が損なうことのないようになされている。  シャフト３は長さ伸縮自在構造を有し、もう一方の端部に一体構成されるモータ部５により回動自在となされる。【選択図】図１
2010172311.tif 000002
【特許請求の範囲】
【請求項１】
回動することでカイガラムシを掻き剥がし、はじき飛ばすことのできるように形状構成された掻き剥がし部と、この掻き剥がし部を先端部に一体構成するシャフトを回動させるためのモータ部が設けられて成ることを特徴とするカイガラムシ用駆除具。
【請求項２】
請求項１の掻き剥がし部が、密着寄生するカイガラムシを、回動の際樹皮を傷つけることなく掻き剥がしはじき飛ばすことのできるように剛性材からなる若干長さ寸法で細い串状の薄板又は細目の茶筅状で形状構成され、該シャフト先端部に着脱可能として成ることを特徴とする請求項１記載のカイガラムシ用駆除具。
【請求項３】
回動するシャフトが、先端部に装着する掻き剥がし部の所要回動を損なうことなく剛性を有しかつ伸縮自在構造であることを特徴とする請求項１、２記載のカイガラムシ用駆除具。
【発明の詳細な説明】
【技術分野】
【０００１】
本発明は、果樹などの樹皮に密着寄生するカイガラムシなど、薬剤では殺虫効果が期待できない害虫を掻き剥がし駆除ができるカイガラムシ用駆除具に関するものである。
【背景技術】
【０００２】
リンゴ・ミカン・梅など多くの果樹に寄生し、汁液を吸うことで多大な被害を与えるカイガラムシなどは、体の表面が蝋で覆われているので散布する殺虫剤を受け付けず指定される薬剤でもその駆除効果はきわめて困難であった。
【０００３】
したがって、確実な駆除を行うには、発生したやっかいなカイガラムシなどを樹皮から直接掻き剥がすのが確実で最良の駆除手段である。
しかし、その掻き剥がし駆除手段として”たわし、ブラシ、ヘラ”などさまざまな用具をもって掻き剥がし作業を行うのであるがすべて手作業であるため、ときには樹皮を傷つけ剥離させ更には花芽などを欠いてしまつたりしてしまうなど、労多くして思うほどの効果がなく、かえって深刻な逆効果が少なくなかった。
【特許文献１】特開２００１−００００９１号公報
【発明の開示】
【発明が解決しようとする課題】
【０００４】
以上のように、殺虫剤に期待できないやっかいカイガラムシなどの駆除手段において、手作業で行われる”たわし、ブラシ、ヘラ”などの使用方法は簡単なようで、実は要領手順やコツを要し、その割に効率が悪く思うほどの効果が期待出来ない点である。
このような、気を遣い疲れやすい割に非効率なカイガラムシなどの駆除において、樹皮表面を滑らし該カイガラムシに接するようにするだけで、瞬間的に掻き剥がしかつはじき飛ばすことのできるカイガラムシ用駆除具を提供することにある。
【課題を解決するための手段】
【０００５】
本発明は、回動することでカイガラムシを掻き剥がすことができる掻き剥がし部と、この掻き剥がし部を先端部に装着するシャフトを回動自在とするモータ部を設けるなどで機能構成したことを最も主要な特徴とする。
なお、掻き剥がし部は、樹皮表面に密着の状態で寄生するカイガラムシを、回動することで該樹皮を損なうことなく掻き剥がしはじき飛ばすことができるように剛性材をもって形状構成がなされている。
【発明の効果】
【０００６】
本発明のカイガラムシ用駆除具は、体の表面を蝋で覆うことで農薬などの殺虫剤を受け付けず樹皮表面に密着して汁液を吸うしたたかなカイガラムシを、薬剤に頼らず直接掻き剥がしはじき飛ばすことで確実に駆除ができる手段として、回動することでカイガラムシを掻き剥がし、はじき飛ばすことができるように形状構成された掻き剥がし部を先端部に取り付けたシャフトをその機能を損なうことなく回動自在構造としたことは、回動する該掻き剥がし部をカイカラムシに接触させることで簡単かつ容易に掻き剥がし、はじき飛ばしができるということで駆除困難な害虫対策として園芸・農作業環境における安全性と利便性に大いに優れている。
【０００７】
請求項２の掻き剥がし部が、樹皮表面に密着寄生するカイガラムシをその樹皮を傷つけることなく、回動することで掻き剥がし、はじき飛ばすことができるように剛性を有し若干長さ寸法で細い串状の薄板又は細目の茶筅状で形状構成し、該シャフト先端部にその回動を損なうことなく着脱自在構造としたことは機能的に大いに優れている。
【０００８】
請求項３の回動するシャフトが、先端部に取り付ける掻き剥がし部の所要回動を損なうことなく剛性を有して長さ伸縮自在構造であることは、利便性に大いに優れている。
【発明を実施するための最良の形態】
【０００９】
回動することで接触するカイガラムシなどを掻き剥がしかつはじき飛ばすように形状構成された掻き剥がし部を一方の先端部に装着したシャフトを、該掻き剥がし部の機能を損なうことなく所定の回動をさせるモータ部を設けることで、駆除困難なカイガラムシなどにおける効果的駆除手段を提供するという目的を最少の部材構成をもって実現した。
【実施例１】
【００１０】
剛性を有し若干長さ寸法の竹材を用いた串状の薄板状からなる掻き剥がし部１を用いた本発明の一実施例で、図１は全体の構成を示す説明図、図２は図１の使用状態を示す説明図で、図３は剛性を有し若干長さ寸法で細目の茶筅状の掻き剥がし部２を示す説明図である。
以下図面に基づいて詳細に説明する。
【００１１】
本発明のカイガラムシ用駆除具は、図１に示されるように例えば若干長さ寸法の細い剛性を有する竹串で薄板状に形状構成された掻き剥がし部１を一体構成する基部１’によってシャフト３の一方の先端部に取り付け、もう一方の端部はモータ部に直結することで回動自在になされている。
なお、シャフト３は剛性材からなり同材のアウタ・シャフト４を組み合わせ一体構成することで、所定の回動を損なうことなくシャフト長さ伸縮自在を可能としている。
その際、シャフト３先端部に取り付けられる該掻き剥がし部１は、シャフト３の延長線上に位置し所定の回動を妨げることなく同一回動ができるようになされているものである。
図３に示される掻き剥がし部２も図１の掻き剥がし部１と同目的をもって機能構成がなされることにより、同様の駆除効果が期待できるものである。
【００１２】
使用にあたっては、本発明のカイガラムシ用駆除具において、回動する掻き剥がし部１部分を、カイガラムシ６が密着寄生する被害枝７と直交するかたちで該カイガラムシ６に軽く当接させ樹皮表面を滑らしながら掃き払うようにすることで、樹皮表面に密着状態のカイガラムシ６を容易に即掻き剥がしはじき飛ばすことができる。
その際、回動する掻き剥がし部１は、機能構成される所定の特性により、被害枝７の樹皮表面を傷つけることはないようになされている。
【産業上の利用可能性】
【００１３】
無農薬による確実な害虫駆除効果が期待できる有効な手法の一つとして、農・園芸の専業分野のみならず一般家庭園芸などの各用途に応用利用できるものである。
【図面の簡単な説明】
【００１４】
【図１】掻き剥がし部１を用いた本発明のカイガラムシ用駆除具の一実施例における主要部分の組み合わせ構成を示す全体説明図である。（実施例１）
【図２】図１の使用状態を示す説明図である。（実施例１）
【図３】剛性を有し若干長さ寸法で細目の茶筅状の掻き剥がし部２を示す説明図である。
【符号の説明】
【００１５】
１、２ 掻き剥がし部
１’基部
３  シャフト
４  アウタ・シャフト
５  モータ部
６  カイガラムシ
７  被害枝
【図１】
2010172311.tif 000003
【図２】
2010172311.tif 000004
【図３】
2010172311.tif 000005